(57)【特許請求の範囲】
【請求項１】
シャンパングラスホルダであって、垂直方向に可動な底部材（１２）と少なくとも２つの可動な抑え（２６）とストッパ機構（３６，３８）とが設けられており、前記底部材（１２）上にシャンパングラスのベース部を載置可能であって、そして前記抑え（２６）が互いに間隔をおいて配置されていて、保持位置においては底部材（１２）上に立っているシャンパングラスのベース部を把持し又解除位置においては外方に移動し、さらに前記ストッパ機構（３６，３８）により、底部材（１２）の押し下げ時において抑え（２６）が保持位置から解除位置へ移動することを防止するようにし、シャンパングラスホルダ（１０）が思案点ばね機構を有しており、思案点ばね機構が、一方の方向に思案点を超えると、抑え（２６）を解除位置に移動させてそこに保持し、又他方の方向に思案点を超えると、抑え（２６）を保持位置に移動させてそこに保持することを特徴とする、シャンパングラスホルダ。
【請求項２】
抑え（２６）が、旋回支承部（２８，３０）を有しており、保持位置から上側・外方の解除位置へと旋回可能である、請求項１記載のシャンパングラスホルダ。
【請求項３】
抑え（２６）が駆動部材（３６）を有しており、シャンパングラスを底部材（１２）に載置する際に、シャンパングラスのベース部が直接的に又は間接的にこの駆動部材（３６）に作用し、さらに抑え（２６）を解除位置から保持位置に移動させる、請求項１記載のシャンパングラスホルダ。
【請求項４】
シャンパングラスホルダ（１０）が、抑え（２６）を保持位置に保つプッシュ・プッシュ・ロック機構を有している、請求項１記載のシャンパングラスホルダ。
【発明の詳細な説明】
【０００１】
【発明の属する技術分野】
本発明は、例えば自動車や飛行機又は船などの移動手段に取り付けることを想定したシャンパングラスホルダに関する。
【０００２】
【発明が解決しようとする課題】
本発明の課題は、任意の方向への加速度発生（加速、制動、カーブ走行）時及び振動発生時において、シャンパングラスを転倒防止して直立に保持するシャンパングラスホルダを提供することである。
【０００３】
【課題を解決するための手段】
この課題を解決した本発明の構成では、垂直方向に可動な底部材と少なくとも２つの可動な抑えとストッパ機構とが設けられており、前記底部材上にシャンパングラスのベース部を載置可能であって、そして前記抑えが互いに間隔をおいて配置されていて、保持位置においては底部材上に立っているシャンパングラスのベース部を把持し又解除位置においては外方に移動し、さらに前記ストッパ機構により、底部材の押し下げ時において抑えが保持位置から解除位置へ移動することを防止するようにし、シャンパングラスホルダが思案点ばね機構を有しており、思案点ばね機構が、一方の方向に思案点を超えると、抑えを解除位置に移動させてそこに保持し、又他方の方向に思案点を超えると、抑えを保持位置に移動させてそこに保持するようにした。
【０００４】
本発明によるシャンパングラスホルダは、概して円形・プレート状の形状のベース部を有するシャンパングラスを載置可能であって垂直方向に可動な底部材を有している。底部材は特に円形のディスクではあるが、例えば円形リングの形状を有していても良いし、又シャンパングラスのベース部のための三点支持台として形成されていても良い。シャンパングラスホルダの底部材の垂直な移動方向は、このシャンパングラスホルダの仮想の組み付け位置に関連しており、この組み付け位置で、シャンパングラスホルダは、底部材上に載置されたシャンパングラスを直立に、かつシャンパングラスのベース部を水平面に合わせて保持している。微少な傾き、つまりシャンパングラスが幾分側方に傾斜して保持されていても大した問題ではなく、これも権利の保護範囲に含まれる考えるべきである。
【０００５】
さらに、本発明によるシャンパングラスホルダは、少なくとも２つの抑えを有しており、これらの抑えは、間隔をおいて、底部材の円周方向若しくは底部材上に載置されたシャンパングラスのベース部の円周方向に配置されている。シャンパングラスホルダが２つの抑えを有している場合、抑えは有利には互いに相対して配置されている。３つ又はそれ以上の抑えを有している場合、抑えは互いに同じ間隔で配置されていても種々異なる間隔で配置されいても良い。抑えによって、任意の方向へのシャンパングラスの転倒が防止されて、底部材上に載置されたシャンパングラスのベース部を確実に保持するように、抑えは配置されている。抑えは保持位置と解除位置との間を可動に支承されている。保持位置において、抑えは、底部材の上方に幾分間隔をおいて位置しており、底部材に立てられたシャンパングラスのベース部を把持し、かつこのベース部を底部材上に保持する。これにより、シャンパングラスの転倒が防止される。シャンパングラスを取り外す際には、抑えが解除位置に移動して非常に大きく外側に拡開するので、シャンパングラスのベース部を抑えの間から取り出すことが可能である。
【０００６】
保持されているシャンパングラスの転倒を防止するために、本発明によるシャンパングラスホルダはストッパ機構を有しており、このストッパ機構は、底部材が下方に押し下げられている際に、抑えが保持位置から解除位置に移動することを防止している。このことは以下の理由による。シャンパングラスホルダが取り付けられている移動手段における任意の方向への加速度発生時に、シャンパングラスホルダによって直立に保持されたシャンパングラスは、水平方向の力によって負荷される。この力は、場合によってはグラス内に満たされた液体も含めて、シャンパングラスの重心に作用すると考えられる。この水平方向の又は横方向の力は、シャンパングラスの脚部とベース部にモーメントを加える。このモーメントは、シャンパングラスのベース部の周囲の一箇所を下方に押圧し、ベース部のそれとは反対側の箇所を持ち上げる。シャンパングラスのベース部の一箇所に作用する下方への圧力によって、シャンパングラスホルダの底部材は下方に押され、そしてストッパ機構は、全ての抑えが保持位置から解除位置へと移動するのを防止する。したがって、シャンパングラスのベース部がシャンパングラスに作用するモーメントによって持ち上げられようとしていても、そのベース部の周囲箇所は、１つの抑え又は当該の周囲箇所付近に配置された複数の抑えによって抑えられて、これによりシャンパングラスは直立に保持され転倒することはない。
【０００７】
【発明の効果】
本発明によるシャンパングラスホルダは以下の利点を有している。すなわちシャンパングラスが、シャンパングラスホルダの抑えによって把持され得る少なくともほぼ円形ディスク状のベース部を有している限り、このシャンパングラスホルダは、移動手段内において任意のシャンパングラスを保持するために本質的に適している。ストッパ機構は自動的に機能し、ストッパ機構の手動操作を必要としない。
【０００８】
本発明の有利な構成では、抑えのために旋回支承が設けられており、この旋回支承が、抑えを、底部材に対して接線方向に延びる仮想軸線を中心に旋回可能に支承している。抑えは、内側に向かってほぼ水平位置にある保持位置から、上方外側に位置する解除位置に旋回させられる。本発明のこの構成により、抑えの簡単なガイド若しくは支承が可能になる。
【０００９】
本発明の有利な構成では、抑えに駆動部材が設けられており、シャンパングラスを底部材上に載置する際、シャンパングラスのベース部がこの駆動部材に作用して、押圧体を解除位置から保持位置へと移動させる。シャンパングラスのベース部は、直接的に又は例えば底部材を介して間接的に、抑えに設けられた駆動部材に作用することができる。本発明のこの構成により、シャンパングラスをシャンパングラスホルダの底部材上に載置する際、抑えは自動的に保持位置へと移動する。このことは、シャンパングラスをシャンパングラスホルダ上に片手で置いて再度持ち上げることができて、さらにシャンパングラスホルダの別の操作なしに保持位置で転倒防止されて保持されるという利点を有している。
【００１０】
本発明の有利な構成では、思案点ばね機構が抑えのために設けられている。思案点ばね機構とは、抑えをばね負荷して解除位置及び保持位置に保持するばね機構を意味している。抑えが思案点を解除位置又は保持位置の方向に超えると、思案点ばね機構は、抑えをばね力によりそれぞれの方向に移動させる。思案点とはつまり、解除位置と保持位置との中間にあって、思案点ばね機構が抑えを一方にも他方にも移動させない、抑えの所定の位置を意味している。思案点ばね機構は抑え又は底部材に作用してよく、また抑え及び底部材のために各１つの思案点ばね機構が設けられても良い。
【００１１】
本発明の別の構成では、抑えを保持位置に保持するプッシュ・プッシュ・ロック機構が設けられている。このプッシュ・プッシュ・ロック機構は、有利には、底部材に及び底部材を介して間接的に抑えに作用する。プッシュ・プッシュ・ロック機構は、底部材を押し下げることによりロックされ、底部材を押し下げられた位置に保持する。ロック部を超えて底部材を短く押し込むことにより、プッシュ・プッシュ・ロック機構のロックが再び解かれるので、シャンパングラスホルダにより保持されているシャンパングラスを取り上げることが可能となる。プッシュ・プッシュ・ロック機構自体は、当業者の間では公知であり、一部ではハート形カムロック装置（Ｈｅｒｚｋｕｒｖｅｎｖｅｒｒｉｅｇｅｌｕｎｇ）又はハート形カム制御装置（Ｈｅｒｚｋｕｒｖｅｎｓｔｅｕｅｒｕｎｇ）と呼ばれている。
【００１２】
【発明の実施の形態】
以下に本発明の実施例について図面を用いて詳説する。
【００１３】
図１に示した本発明によるシャンパングラスホルダ１０は、水平に配置されていて垂直方向に可動である円形ディスク状の底部材１２を有している。本明細書において、位置の記載「水平」及び「垂直」は、このシャンパングラスホルダ１０の想定の組み付け位置に関連している。底部材１２の下側面の中央部からフック１４が突出しており、このフック１４はリブ状の２つの対応保持装置１６の間に配置されている。フック１４と対応保持装置１６との間には、ばね線材（Ｆｅｄｅｒｄｒａｈｔ）から曲げられたばね部材１８が固定されている。このばね部材１８は図５に平面図で示されている。ばね部材１８は、底部材１２の下方を横切って延在しており、その中央部に、互いに逆方向に直角に二度屈曲させることにより製作された屈曲部２０を有している。この屈曲部２０は、フック１４と両対応保持装置１６との間に保持されている。ばね部材１８の両端部２２も同様に直角に屈曲されており、シャンパングラスホルダ１０のフレーム２４に固定されている。ばね部材１８は、図１においては、断面して示されねばならないが、分かり易くするために側面図で示されている。
【００１４】
ばね部材１８の両端部２２がフレーム２４で保持されている間隔は、弛緩した状態のばね部材１８よりも幾分短い。このことによって、ばね部材１８の屈曲部２０は、図１又は図３に示したように上方又は下方にスナップ式に移動、つまり跳ね上がるか跳ね下がる。それに応じて底部材１２は、ばね部材１８と連動し、かつばね部材１８によってその両終端位置に保持される。このような機構は思案点ばね機構（Ｔｏｔｐｕｎｋｔｆｅｄｅｒｍｅｃｈａｎｉｋ）であり、この思案点ばね機構において、底部材１２は、思案点と呼ばれる中間の又は中立の位置を上方又は下方に超えると、その両終端位置に移動してそこに保持される。
【００１５】
底部材１２の周囲の３箇所には、抑え２６が旋回可能に取り付けられている。抑え２６は、一種のフラップとして構成されており、図１及び図２に示した解除位置においては上方内側に傾いていて、そして図３及び図４に示した保持位置においてはほぼ水平に内向して底部材１２の上方に位置している。この保持位置においては、抑え２６は底部材１２の上方に幾分間隔をおいて位置している。抑え２６は、底部材１２に対して接線方向の水平な仮想軸線を中心に旋回可能である。抑え２６を旋回支承するために、各抑え２６に対してそれぞれ２つのブラケット２８が、図２及び図４において点線で示したように、底部材１２から外方に突出している。ブラケット２８は底部材１２と一体的であって、各抑え２６の各側面にそれぞれ１つのブラケット２８が配置されている。これらのブラケット２８は各１つの孔を有しており、これらの孔内に、抑え２６の両側面から突出している旋回ピボット３０が回転可能に嵌挿されている。これによって、抑え２６は、図１及び図２に示した解除位置においては上方に、そして図３及び図４に示した保持位置においては下方に旋回可能である。
【００１６】
抑え２６はそれぞれ、思案点ばね機構を有している。つまり、思案点ばね機構を構成するために、各抑え２６に対して１つの屈曲したばね線材３２が、底部材１２の下側に取り付けられている。各ばね部材３２は、底部材１２の下側をほぼ半径方向外方に延び、そして９０゜の屈曲部の後で、抑え２６の半径方向外側の領域において上方に延びている。各ばね部材３２の一方の端部３４は、直角に、底部材１２に対して接線方向にかつ水平に屈曲して、そして抑え２６に設けられた、側面図で見ると鍵穴状であって外側に開いた切欠きにスナップ式に挿入されている。ばね部材３２は、抑え２６を、底部材１２に対して半径方向内側に向けられたばね力によって負荷している。ばね部材３２の作用点は、図１及び図２に示した抑え２６が上方に旋回した解除位置においては、抑え２６の、旋回ピボット３０によって規定された旋回軸線よりも下方に位置しているので、ばね部材３２は抑え２６をばね弾性的に解除位置に保持する。図３及び図４に示した、抑え２６が下方に旋回した保持位置においては、ばね部材３２の作用点は、抑え２６の、旋回ピボット３０によって定められた旋回軸線よりも上方に位置しているので、ばね部材３２は、下方に向けられたモーメントを抑え２６に加えて、この抑え２６をばね弾性的に保持位置に保持する。保持位置と解除位置との間の図示されていない中間位置においては、ばね部材３２は、抑え２６の旋回軸線の高さで押圧しており、それゆえモーメントが抑え２６に加えられることはない。この中間位置は思案点と呼ばれる。抑え２６が上方に思案点を超えて移動すると、ばね部材３２は抑え２６を上方の解除位置に旋回させ、思案点を下方に超えると、ばね部材３２は抑え２６を下方の保持位置に旋回させる。それ故、ばね部材３２は、抑え２６の旋回支承と協働して、思案点ばね機構を構成している。
【００１７】
各抑え２６からフック状の駆動・係止部材３６が下方に突出しており、この駆動・係止部材３６は抑え２６と一体である。図１及び図２に示した解除位置においては、フック状の駆動・係止部材３６は底部材１２に下方から係合しており、図３及び図４に示した保持位置においては、駆動・係止部材３６は、底部材１２の外側の側方に、かつフレームに設けられたストッパ３８の外側の側方に位置している。底部材１２が下方に押圧されると、底部材１２はフック状の駆動・係止部材３６を下方外側に押出し、これにより抑え２６を解除位置から保持位置へと旋回させる。底部材１２が押し下げられた保持位置にある際に１つの抑え２６が上方に旋回しても、駆動・係止部材３６が、フレームに固定されたストッパ３８に衝突する。このストッパ３８は、抑え２６が解除位置へ旋回するのを防止する。保持位置から解除位置への抑え２６の旋回は、以下の場合においてのみ可能である。すなわち、駆動・係止部材３６が、ストッパ３８の上方に位置してストッパ３８を超えて内方に旋回できるほど、抑え２６が底部材１２と共に持ち上げられた場合である。
【００１８】
以下に本発明によるシャンパングラスホルダ１０の作動形式を説明する。円形でプレート状のベース部を有する図示されていないシャンパングラスを保持するためには、シャンパングラスのベース部を、解除位置にある底部材１２上に載置し、底部材１２を下方に押圧する。底部材１２に固定されたばね部材１８の思案点を超えると、ばね部材１８は底部材１２と共にスナップ式に下方に移動する。底部材１２は、抑え２６に設けられた駆動・係止部材３６を押圧し、上記の形式で抑え２６を、図３及び図４に示した保持位置へと下方に旋回させる。抑え２６がシャンパングラスのベース部を把持することによって、シャンパングラスは底部材１２に保持される。
【００１９】
このシャンパングラスホルダ１０が取り付けられている図示されていない乗り物の、例えば加速や制動又はカーブ走行によって、シャンパングラスは、場合によっては内容物をも含めたシャンパングラスの重心に及ぼされると考えられる水平方向に作用する力によって、任意の方向に負荷される。この力はモーメントをシャンパングラスの脚とベース部に及ぼす。このモーメントは、シャンパングラスのベース部の周囲の一箇所を下方に押し、その反対側の箇所を上方に持ち上げる。シャンパングラスのベース部が周囲の一箇所において下方に押圧されることにより、シャンパングラスホルダの底部材１２は下方の保持位置に保たれる。このことにより全ての抑え２６が上方の解除位置へと旋回することが防止される。それというのは、底部材１２が下側の保持位置にあって駆動・係止部材３６が下げられている場合に、抑え２６を上方に旋回させようとすると、駆動・係止部材３６がストッパ３８に当接するからである。これにより抑え２６は、シャンパングラスのベース部を、シャンパングラスに対して水平方向又は横方向に作用する力がシャンパングラスのベース部を持ち上げようとする方の周囲の一箇所をも、下方に底部材１２上に保持する。これにより、シャンパングラスは、転倒することを防止されてシャンパングラスホルダ１０に保持される。
【００２０】
シャンパングラスを取り外す唯一の可能性は、シャンパングラスを上方に持ち上げることである。保持位置にある抑え２６によって把持されたシャンパングラスのベース部は、駆動・係止部材３６がストッパ３８の上方に位置し内方に旋回可能となるまで、底部材１２をすべての抑え２６で均等に上方に持ち上げる。シャンパングラスをさらに持ち上げると、シャンパングラスのベース部は抑え２６を、抑え２６の思案点を超えて上方に旋回させる。その結果、ばね部材３２は抑え２６を解除位置に旋回させる。これにより、シャンパングラスのベース部は解放され、そしてシャンパングラスを取り上げることができる。シャンパングラスと共に底部材１２を持ち上げると、底部材１２のばね部材１８は、底部材１２を上方の解除位置にスナップ式に移動させる。
【００２１】
ばね部材１８によって形成されている思案点ばね機構の代わりに、底部材１２を、図示されていないそれ自体としては公知のプッシュ・プッシュ・ロック機構（Ｐｕｓｈ−Ｐｕｓｈ−Ｖｅｒｒｉｅｇｅｌｕｎｇｓｍｅｃｈａｎｉｋ）によって下側の保持位置に保持してもよい。このようなプッシュ・プッシュ・ロック機構は、底部材１２を保持位置にロックし、そして短く下方に押圧することによってロックを解く。それ故、シャンパングラスを取り上げるために底部材１２を持ち上げることが可能である。
【図面の簡単な説明】
【図１】解除位置にある本発明によるシャンパングラスホルダの縦断面図である。
【図２】図１に矢印ＩＩで示した部分の拡大図である。
【図３】保持位置にある、図１に示したシャンパングラスホルダの縦断面図である。
【図４】図３に矢印ＩＶで示した部分の拡大図である。
【図５】図１に示したシャンパングラスホルダのばね部材の単独図である。
【符号の説明】
１０  シャンパングラスホルダ
１２  底部材
１４  フック
１６  対応保持装置
１８  ばね部材
２０  屈曲部
２２  ばね部材（１８）の端部
２４  フレーム
２６  抑え
２８  ブラケット
３０  旋回ピボット
３２  ばね部材
３４  ばね部材（３２）の一方の端部
３６  駆動・係止部材
３８  ストッパ
【図１】
0003806383.tif 000002
【図２】
0003806383.tif 000003
【図３】
0003806383.tif 000004
【図４】
0003806383.tif 000005
【図５】
0003806383.tif 000006